(57)【要約】【課題】立体的に視認し易い立体加飾を有する加飾成形体及びキーシートの提供。【解決手段】キートップ３は、溝部４の側面４ａに青色の輪郭部６を固着することで、輪郭面部５ｂを白色のキートップ３と色合いの異なる青色にすることができ、青色の輪郭面部５ｂを明確に区別して視認できる。そして青色の輪郭面部５ｂは深さ方向に沿う側面４ａに固着するため奥行き方向に視認できる。他方溝部４の底面４ｂでなる表示面部５ａは輪郭面部５ｂの内側に位置するため、輪郭面部５ｂに囲まれているように視認することができる。このような表示面部５ａと輪郭面部５ｂとによって構成される表示部５は、白色で英文字「Ｅ」の表示面部５ａと奥行き方向に視認できる青色の輪郭面部５ｂとを明確に区別して視認することができ、浅い溝部４を用いて形成した表示部５であっても立体的に視認することができる。【選択図】図２
2007320266.tif 000002
【特許請求の範囲】
【請求項１】
文字・数字・図形・記号・模様の少なくとも何れかを象る溝部を有する成形体に、
該溝部の深さ方向に沿う側面を着色する輪郭部と、
該成形体の外観上、輪郭部の内側に位置するとともに該輪郭部と色合いが異なる表示面部と、を有する表示部を設けた加飾成形体。
【請求項２】
溝部を成形体の表面に有する請求項１記載の加飾成形体。
【請求項３】
成形体が着色成形体でなり、表示面部が該着色成形体に設ける前記溝部の底面である請求項２記載の加飾成形体。
【請求項４】
表示面部が成形体の前記溝部の底面に積層した着色層である請求項２記載の加飾成形体。
【請求項５】
成形体が透明成形体でなり、表示面部が該透明成形体の裏面に設ける着色層である請求項２記載の加飾成形体。
【請求項６】
成形体が透明成形体でなり、溝部を該透明成形体の裏面に有する請求項１記載の加飾成形体。
【請求項７】
成形体が押釦スイッチ用のキートップである請求項１〜請求項６何れか１項記載の加飾成形体。
【請求項８】
請求項１〜請求項７何れか１項記載の加飾成形体と、該加飾成形体を固着するベースシートと、を備えるキーシート。
【発明の詳細な説明】
【技術分野】
【０００１】
本発明は、携帯電話機、ＰＤＡ、リモコン、デジタルカメラ、ＡＶ機器、車載電装機器等の各種電子機器の外装部品として用いられる加飾成形体に関し、特に加飾成形体としての押釦スイッチ用のキートップと、これを備えるキーシートに関する。
【背景技術】
【０００２】
携帯電話機やＡＶ機器等の各種電子機器には、筐体やスイッチなど種々の外装部品を備えている。技術的な機能性では差別化を実現しがたい場合に、こうした外装部品のデザインが電子機器の市場価値を高める重要な要素となり、デザインの差別化による優位を如何にして実現するかが課題とされる。その差別化の一形態として外装部品の立体加飾がある。ここでは携帯電話機などに備えるキーシートのキートップに立体加飾を施す一例を説明する。
【０００３】
キートップには文字・数字・図形・記号・模様といった表示要素が施されるのが一般的であり、図１６，図１７はその表示要素の立体化を実現する従来技術の一例である。すなわち透明樹脂でなるキートップ１の内部には着色樹脂成形体などによる立体形状の表示要素２が埋設されており、これによって外装部品としてのキートップ１の立体加飾を実現している（特許文献１，特許文献２）。
【特許文献１】特開２０００−２１２５９号公報
【特許文献２】特開２０００−３１１５４６号公報
【発明の開示】
【発明が解決しようとする課題】
【０００４】
しかしながら、前述のようなキートップ１の表示要素２は、表示要素２の肉厚で立体感を発現しており、表示要素２の肉厚が薄肉の場合には立体的に見えづらいことがある。そこで表示要素２の肉厚を厚肉に形成すると、表示要素２は立体的に視認し易くなる。しかしキートップ１が自ずと厚肉になり、電子機器の薄型化の要請に応え難いという新たな不都合が生じる。
【０００５】
以上のような従来技術を背景になされたのが本発明である。すなわち本発明の目的は立体的に視認し易い立体加飾を有する加飾成形体及びキーシートを提供することにある。
【課題を解決するための手段】
【０００６】
上記目的を達成すべく本発明は以下のように構成される。
【０００７】
本発明は、文字・数字・図形・記号・模様の少なくとも何れかを象る溝部を有する成形体に、該溝部の深さ方向に沿う側面を着色する輪郭部と、該成形体の外観上、輪郭部の内側に位置するとともに該輪郭部と色合いが異なる表示面部と、を有する表示部を設けた加飾成形体を提供する。
【０００８】
本発明では、成形体に表示部を設けており、この表示部は輪郭部と表示面部とを有する。このうち輪郭部は溝部の深さ方向に沿う側面を着色しているため、輪郭部を奥行き方向に視認することができる。他方輪郭部と色合いの異なる表示面部は輪郭部の内側に位置するため、輪郭部によって囲まれているように視認することができる。このような色合いの輪郭部と表示面部とによって構成される表示部は立体的に視認することができる。なお、本特許請求の範囲及び本明細書でいう「色合い」とは色彩、色の濃淡、色の明暗、色の強弱のことである。
【０００９】
例えば、溝部の側面が溝部の底面より成形体の表面側に向かって形成されていると、奥行き方向に視認できる輪郭部の内側の奥に溝部の底面を視認することができる。このため操作者は表示部が沈んで見える沈み文字状の加飾を視認することができる。また溝部の側面が溝部の底面より成形体の裏面側に向かって形成されていると、奥行き方向に視認できる輪郭部の内側の手前に溝部の底面を視認することができる。このため操作者は表示部が手前に浮き出て見える浮き文字状の加飾を視認することができる。
【００１０】
以上のように本発明では、奥行き方向に視認できる輪郭部を色合いの異なる表示面部と明確に区別しながら視認することができる。このため浅い溝部を用いて形成した表示部であっても立体的に視認し易い立体加飾を実現できる。
【００１１】
本発明は前記加飾成形体について、溝部を成形体の表面に有するため、表示部が成形体の表面近くに形成されており、立体的な表示部を視認し易くすることができる。
【００１２】
本発明は前記成形体の表面に溝部を有する加飾成形体について、成形体が着色成形体でなり、表示面部を該着色成形体に設ける前記溝部の底面とする。即ち、表示部が溝部の側面に沿う輪郭部と溝部の底面とで構成される。輪郭部と色合いの異なる表示面部を実現するために、溝部の底面に他の部材を備える必要がなく、着色成形体の色合いを活用して表示部を容易に形成できる。
【００１３】
本発明は前記成形体の表面に溝部を有する加飾成形体について、表示面部を成形体の前記溝部の底面に積層形成した着色層とする。即ち、表示部が溝部の側面に沿う輪郭部と溝部の底面に積層する着色層とで構成される。これによれば着色層の色合いを自由に設定することができるため、輪郭部と着色層との配色バリエーションによって表示部の加飾を多様化できる。なお、着色層は、溝部の底面に直接積層されている場合と、溝部の底面との間に他の層を介して間接的に積層されている場合がある。また溝部の底面に着色層を設ける方法としては、金型による二色成形法、乾式めっき法、湿式めっき法、塗装法、スクリーン印刷、インクジェット印刷などの印刷法、レーザー発色法などが利用できる。
【００１４】
本発明は前記成形体の表面に溝部を有する加飾成形体について、成形体が透明成形体でなり、表示面部を該透明成形体の裏面に設ける着色層とする。即ち、表示部が溝部の側面に沿う輪郭部と溝部の底面よりさらに奥にある着色層とで構成される。このため操作者は輪郭部より離れて奥に沈んで見える新規なデザインの沈み文字状の表示部を視認することができる。
【００１５】
本発明は前記加飾成形体について、成形体が透明成形体でなり、溝部を該透明成形体の裏面に有するため、成形体の奥に立体的な表示部を視認することができる。
【００１６】
本発明は前記加飾成形体について、成形体を押釦スイッチ用のキートップとする。このためキートップには、奥行き方向に視認できる輪郭部を表示面部と明確に区別しながら視認できる表示部が設けられることから、浅い溝部を用いて形成した表示部であっても立体的に見える表示部を有するキートップとすることができる。よって立体加飾を有する薄肉のキートップを実現できる。
【００１７】
また、本発明は、前記何れかの本発明による加飾成形体と、該加飾成形体を固着するベースシートと、を備えるキーシートを提供する。
【００１８】
本発明では、前記何れかの本発明による加飾成形体と該加飾成形体を固着するベースシートとを備えるため、浅い溝部を用いて形成した表示部であっても立体的に見える表示部を有する薄肉の加飾成形体を有するキーシートとすることができる。よって薄型のキーシートを実現でき、電子機器の薄型化の要請にも対応できる。
【発明の効果】
【００１９】
本発明の加飾成形体及びキーシートによれば、奥行き方向に視認できる輪郭部を色合いの異なる表示面部と明確に区別しながら視認することができる。このため浅い溝部を用いて形成した表示部であっても立体的に視認し易い立体加飾を実現できる。そしてこのような加飾成形体は薄肉化することができるため、薄肉の加飾成形体によって薄型のキーシートを実現でき、電子機器の薄型化の要請にも対応できる。
【発明を実施するための最良の形態】
【００２０】
以下、本発明の実施形態の例について図面を参照しつつ説明する。なお、各実施形態で共通する構成については、同一符号を付して重複説明を省略する。
【００２１】
以下の実施形態では、「成形体」として携帯電話機などに備えるキートップを適用する例を説明する。なお本発明の加飾成形体はキートップだけでなく、例えば筐体（外装ケース）や装飾部品としても適用することができる。
【００２２】
第１実施形態〔図１〜図３〕
第１実施形態のキートップ３は、表面３ａに設けられる溝部４を用いて形成した表示部５を備えている。
【００２３】
キートップ３は白色の硬質樹脂のポリカーボネート樹脂でなり、平面視で矩形状に形成されている。下端には外方へ突出する環状の鍔部３ｂを設けてある。そして本実施形態では表示部５を英文字「Ｅ」の表示形状としている。即ち、表面３ａに設けられている溝部４は平面視で英文字「Ｅ」を象る形状に形成してあり、この溝部４の側面４ａは底面４ｂからキートップ３の表面３ａに向かって広がる傾斜面となっている。
【００２４】
表示部５は、溝部４の底面４ｂでなる英文字「Ｅ」の形状の表示面部５ａと、溝部４の側面４ａに固着する青色の輪郭部６でなる輪郭面部５ｂと、によって構成される。表示面部５ａはキートップ３の白色を呈しており、輪郭面部５ｂは輪郭部６の青色を呈している。つまり、表示部５は白色の英文字「Ｅ」に青色の輪郭を有するという異なる色合いによって加飾されている。
【００２５】
次に、第１実施形態のキーシート７について説明する。キーシート７は、前述のキートップ３と、ベースシート８とを備えている。
【００２６】
ベースシート８は、ゴム状弾性体のシリコーンゴムで形成されている。その押圧操作側となる表面には、キートップ３の裏面３ｃを図外の接着剤にて固着する台座部８ａが形成されている。表面と反対の裏面には、台座部８ａに対応して図外の金属皿ばねなどの接点スイッチを押圧する押し子部８ｂと、押し子部８ｂの周囲を囲むように脚部８ｃが突設されている。この脚部８ｃの先端は図外の基板の表面と接する。
【００２７】
ここで本実施形態を構成する各部材の材質を説明する。
【００２８】
「キートップ３」の材質には、硬質樹脂、ゴム状弾性体、金属、セラミックスなどが使用できる。このうち硬質樹脂は、機械的強度、耐久性等の要求性能、及び軽量化により、熱可塑性樹脂又は反応硬化性樹脂が好ましい。例えば、本実施形態のキートップ３として採用するポリカーボネート樹脂の他、ポリメチルメタクリレート樹脂、ポリアクリル共重合樹脂、シリコーン樹脂、ポリオレフィン樹脂、ポリエステル樹脂、ポリエチレン樹脂、ポリ塩化ビニル樹脂、ポリスチレン樹脂、アクリロニトリル・ブタジエン・スチレン樹脂、ポリプロピレン樹脂、ポリエチレンテレフタレート樹脂、ポリブチレンテレフタレート樹脂、ポリウレタン樹脂が使用できる。またゴム状弾性体は、機械的強度、耐久性のよい熱硬化性エラストマー又は熱可塑性エラストマーが好ましい。例えば、シリコーンゴム、ウレタンゴム、イソプレンゴム、エチレンプロピレンゴム、ブタジエンゴム、クロロプレンゴム、天然ゴム、スチレン系熱可塑性エラストマー、エステル系熱可塑性エラストマー、ウレタン系熱可塑性エラストマー、オレフィン系熱可塑性エラストマー、アミド系熱可塑性エラストマー、ブタジエン系熱可塑性エラストマー、エチレン−酢酸ビニル系熱可塑性エラストマー、フッ素系熱可塑性エラストマー、イソプレン系熱可塑性エラストマー、塩素化ポリエチレン系熱可塑性エラストマーが使用できる。また金属としてはアルミニウム、銅、その他の金属や合金類を用いることができる。
【００２９】
「ベースシート８」の材質には、ゴム状弾性体、樹脂フィルムなどが使用できる。このうちゴム状弾性体は、反撥性のよい熱硬化性エラストマー又は熱可塑性エラストマーが好ましい。例えば、本実施形態のベースシート８として採用するシリコーンゴムの他、イソプレンゴム、エチレンプロピレンゴム、ブタジエンゴム、クロロプレンゴム、天然ゴム、スチレン系熱可塑性エラストマー、エステル系熱可塑性エラストマー、ウレタン系熱可塑性エラストマー、オレフィン系熱可塑性エラストマー、アミド系熱可塑性エラストマー、ブタジエン系熱可塑性エラストマー、エチレン−酢酸ビニル系熱可塑性エラストマー、フッ素系熱可塑性エラストマー、イソプレン系熱可塑性エラストマー、塩素化ポリエチレン系熱可塑性エラストマーが使用できる。さらにこれらのゴム状弾性体で温度依存性が少ない点を考慮するとシリコーンゴムが好ましく、また耐久性を考慮するとスチレン系熱可塑性エラストマー、エステル系熱可塑性エラストマーが好ましい。また樹脂フィルムとしてはポリエチレンテレフタレート樹脂、ポリカーボネート樹脂、ポリエチレン樹脂、ナイロン樹脂、ウレタン樹脂などを使用できる。
【００３０】
次に、本実施形態における表示部５の製造方法の一例を説明する。先ず射出成形にて白色のポリカーボネート樹脂でなるキートップ３を成形する。この時、射出成形金型のキャビティーによってキートップ３の表面３ａに溝部４を形成する。次に溝部４の側面４ａをインクの粒子を噴射して印刷する印刷方法、例えばインクジェット印刷を用いて青色に着色する。従って輪郭部６は印刷層として形成されている。以上のようにして、白色のキートップ３の表面３ａに白色の英文字「Ｅ」に青色の輪郭を形成してある表示部５を得ることができる。なお、表示部５を備えるキートップ３の裏面３ｃを、別途シリコーンゴムで金型成形したベースシート８の台座部８ａの表面に接着剤で固着すれば、本実施形態のキーシート７を製造できる。
【００３１】
最後に、本実施形態のキートップ３及びキーシート７の作用効果について説明する。
【００３２】
第１実施形態のキートップ３及びキーシート７によれば、溝部４の側面４ａに青色の輪郭部６を固着することで、輪郭面部５ｂを白色のキートップ３と色合いの異なる青色にすることができ、青色の輪郭面部５ｂを明確に区別して視認することができる。そして青色の輪郭面部５ｂは深さ方向に沿う側面４ａに固着しているため、奥行き方向に視認することができる。他方溝部４の底面４ｂでなる表示面部５ａは輪郭面部５ｂの内側に位置するため、輪郭面部５ｂによって囲まれているように視認することができる。このような表示面部５ａと輪郭面部５ｂとによって構成される表示部５は、白色で英文字「Ｅ」の表示面部５ａと奥行き方向に視認できる青色の輪郭面部５ｂとを明確に区別して視認することができ、立体的に視認することができる。つまり青色で傾斜する輪郭の奥に白色の英文字「Ｅ」を視認することができる。このため操作者は白色のキートップ３の表面３ａに沈み文字の英文字「Ｅ」を視認できる。よって浅い溝部４を用いて形成した表示部５であっても立体的に視認し易い立体加飾を実現できる。したがってこのような立体加飾を有するキートップ３の肉厚は薄肉化でき、この薄肉のキートップ３は薄型のキーシート７を実現して電子機器の薄型化の要請に対応できる。
【００３３】
溝部４をキートップ３の表面３ａに設けているため、表示面部５ａがキートップ３の表面３ａ近くに形成されており、立体的な表示部５を視認し易くすることができる。
【００３４】
英文字「Ｅ」の表示面部５ａを溝部４の底面４ｂで構成するため、溝部４の底面４ｂに他の部材を備える必要がなく、白色のキートップ３の色合いを活用して表示部５を容易に形成できる。
【００３５】
第１実施形態の第１変形例〔図４〕
第１実施形態のキートップ３では、表示部５の表示面部５ａを溝部４の底面４ｂで構成する例を示したが、第１実施形態の第１変形例のキートップ９では、表示面部５ａを溝部４の底面４ｂに固着する着色層１０で構成できる。
【００３６】
第１変形例の表示部５は、溝部４の底面４ｂに直接積層した濃青色の着色層１０でなる英文字「Ｅ」の形状の表示面部５ａと、溝部４の側面４ａに固着する青色の輪郭部６でなる輪郭面部５ｂと、によって構成される。表示面部５ａは着色層１０が濃青色を呈しており、輪郭面部５ｂは輪郭部６が青色を呈している。つまり、表示部５は濃青色の英文字「Ｅ」に青色の輪郭を有するという異なる色合いによって加飾されている。
【００３７】
第１変形例における表示部５の製造方法の一例を説明する。先ず白色のキートップ９における溝部４の底面４ｂに対しインクの粒子を噴射して印刷する印刷方法、例えばインクジェット印刷を用いて感光剤を添加した青色の着色層１０を形成する。次に溝部４の側面４ａに対しインクの粒子を噴射して印刷する印刷方法、例えばインクジェット印刷を用いて感光剤を添加していない青色の輪郭部６を形成する。その後着色層１０にレーザー光を照射し、着色層１０に含まれる感光剤によって着色層１０の「色合い」を濃色に変化させる（レーザー発色法）。即ち、青色から濃青色の着色層１０に変色させる。以上のようにして、白色のキートップ９の表面９ａに濃青色の英文字「Ｅ」に青色の輪郭を形成してある表示部５を得ることができる。なお、以上の製法とは異なり、例えばインクジェット印刷によって、溝部４の底面４ｂと側面４ａと感光剤を添加したインクによる印刷層を一括して形成し、底面４ｂの部分にだけレーザー光を照射することで、色合いの異なる輪郭層６と着色層１０とを形成してもよい。このようにすると印刷工程が一工程削減できる。
【００３８】
第１変形例のキートップ９によれば、表示面部５ａを白色のキートップ９と異なる色合いの濃青色に設定できるため、表示面部５ａと輪郭面部５ｂとの配色バリエーションによって表示部５の加飾を多様化できる。
【００３９】
第１実施形態の第２変形例〔図５〕
第１実施形態のキートップ３では、表示部５の表示面部５ａを溝部４の底面４ｂで構成する例を示したが、第１実施形態の第２変形例のキートップ１１では、表示面部５ａを溝部４の側面４ａ及び底面４ｂに設けた輪郭部６の底面４ｂ側の部分に固着する着色層１０で構成できる。
【００４０】
第２変形例の表示部５は、溝部４の底面４ｂに輪郭部６を介して積層した赤色の着色層１０でなる英文字「Ｅ」の形状の表示面部５ａと、溝部４の側面４ａに固着する青色の輪郭部６でなる輪郭面部５ｂと、によって構成される。表示面部５ａは着色層１０が赤色を呈しており、輪郭面部５ｂは輪郭部６が青色を呈している。つまり、表示部５は赤色の英文字「Ｅ」に青色の輪郭を有するという異なる色合いによって加飾されている。
【００４１】
第２変形例における表示部５の製造方法の一例を説明する。先ず無色透明のキートップ１１における溝部４の側面４ａ及び底面４ｂに対しインクの粒子を噴射して印刷する印刷方法、例えばインクジェット印刷を用いて青色の輪郭部６を形成する。次に輪郭部６の底面４ｂ側の部分に対しインクの粒子を噴射して印刷する印刷方法、例えばインクジェット印刷を用いて赤色の着色層１０を形成する。以上のようにして、無色透明のキートップ１１の表面１１ａに赤色の英文字「Ｅ」に青色の輪郭を形成してある表示部５を得ることができる。
【００４２】
第２変形例のキートップ１１によれば、表示面部５ａを無色透明のキートップ１１と異なる色合いの赤色に設定できるため、表示面部５ａと輪郭面部５ｂとの配色バリエーションによって表示部５の加飾を多様化できる。また、第２変形例において、キートップ１１を裏面１１ｃ側からバックライト照光すると、英文字「Ｅ」から放射される光は青色の輪郭部６と赤色の着色層１０を透過しているため、非照光時の赤色と異なる紫色を呈する。よって非照光時と照光時で英文字「Ｅ」の色合いを変化させることができる。
【００４３】
第１実施形態の第３変形例〔図６〕
第１実施形態のキートップ３では、表示部５の表示面部５ａを溝部４の底面４ｂで構成する例を示したが、第１実施形態の第３変形例のキートップ１２では、第２変形例と同様に表示面部５ａを溝部４の側面４ａ側及び底面４ｂ側に設けた輪郭部６の底面４ｂ側の部分に固着する着色層１０で構成できる。
【００４４】
第３変形例の表示部５は、溝部４の底面４ｂに塗層１３及び輪郭部６を介して積層した黒色の着色層１０でなる英文字「Ｅ」の形状の表示面部５ａと、溝部４の側面４ａに塗層１３を介して積層した白色の輪郭部６でなる輪郭面部５ｂと、によって構成される。表示面部５ａは着色層１０が黒色を呈しており、輪郭面部５ｂは輪郭部６が白色を呈している。つまり、表示部５は黒色の英文字「Ｅ」に白色の輪郭を有するという異なる色合いによって加飾されている。
【００４５】
第３変形例における表示部５の製造方法の一例を説明する。先ず無色透明のキートップ１２の溝部４も含む表面１２ａにメタリック塗料を塗装し、銀色メタリックの塗層１３を形成する。その後塗層１３の表面における溝部４の側面４ａ側の部分及び底面４ｂ側の部分に対しインクの粒子を噴射して印刷する印刷方法、例えばインクジェット印刷を用いて白色の輪郭部６を形成する。次に輪郭部６の底面４ｂ側の部分に対しインクの粒子を噴射して印刷する印刷方法、例えばインクジェット印刷を用いて黒色の着色層１０を形成する。以上のようにして、銀色メタリックの塗層１３の表面に黒色の英文字「Ｅ」に白色の輪郭を形成してある表示部５を得ることができる。なお、本第３変形例ではキートップ１２の表面１２ａの表示部５及び塗層１３の上面に、無色透明の硬質保護層１４を形成しており、表示部５及び塗層１３の摩耗を防ぐことができる。
【００４６】
第３変形例のキートップ１２によれば、表示面部５ａを表面１２ａに形成した銀色メタリックの塗層１３の表面と異なる色合いの黒色に設定することができ、表示面部５ａと輪郭面部５ｂとの配色バリエーションによって表示部５の加飾を多様化できる。
【００４７】
第１実施形態の第４変形例〔図７〕
第１実施形態のキートップ３では、溝部４の側面４ａが底面４ｂからキートップ３の表面３ａに向かって広がる傾斜面となっており、表示部５の表示面部５ａを溝部４の底部４ｂで構成する例を示したが、第１実施形態の第４変形例のキートップ１５では、溝部４の側面４ａが底面４ｂに対して垂直面となっており、表示面部５ａを溝部４の側面４ａ側及び底面４ｂ側に設けた輪郭部６の底面４ｂ側の部分に固着する着色層１０で構成できる。
【００４８】
第４変形例の表示部５は、溝部４の底面４ｂに鍍金層１６及び輪郭部６を介して積層した黒色の着色層１０でなる英文字「Ｅ」の形状の表示面部５ａと、溝部４の側面４ａに鍍金層１６を介して積層した白色の輪郭部６の輪郭面部５ｂと、によって構成される。この輪郭部６は後述するように塗料を溝部４内に注入して設けたため、溝部４の側面４ａ側に固着する部分の輪郭部６の表面は斜面に形成されている。表示面部５ａは着色層１０が黒色を呈しており、輪郭面部５ｂは輪郭部６が白色を呈している。つまり、表示部５は黒色の英文字「Ｅ」に白色の輪郭を有するという異なる色合いによって加飾されている。
【００４９】
第４変形例における表示部５の製造方法の一例を説明する。先ずアクリロニトリル・ブタジエン・スチレン樹脂でなるキートップ１５の溝部４も含む表面に湿式めっき法でニッケル−クロムでなる銀色光沢の鍍金層１６を形成する。その後鍍金層１６の表面における溝部４の内部に白色の塗料を注入して白色の輪郭部６を形成する。次に輪郭部６の底面４ｂ側の部分に対しインクの粒子を噴射して印刷する印刷方法、例えばインクジェット印刷を用いて黒色の着色層１０を形成する。以上のようにして、銀色光沢の鍍金層１６の表面に黒色の英文字「Ｅ」に白色の輪郭を形成してある表示部５を得ることができる。なお輪郭部６は第１実施形態の輪郭部６と同様に印刷層とすることもできる。
【００５０】
第４変形例のキートップ１５によれば、表示面部５ａを表面１５ａに形成した銀色光沢の鍍金層１６と異なる色合いの黒色に設定することができ、表示面部５ａと輪郭面部５ｂとの配色バリエーションによって表示部５の加飾を多様化できる。
【００５１】
第１実施形態の第５変形例〔図８〕
第１実施形態のキートップ３では、表示部５の表示面部５ａを溝部４の底面４ｂで構成する例を示したが、第１実施形態の第５変形例のキートップ１７では、表示面部５ａをキートップ１７の裏面１７ｃに固着する着色層１０で構成できる。
【００５２】
第５変形例の表示部５は、キートップ１７の裏面１７ｃに固着する白色の着色層１０が英文字「Ｅ」の形状に見える表示面部５ａと、溝部４の側面４ａに固着する青色の輪郭部６でなる輪郭面部５ｂと、によって構成される。表示面部５ａは着色層１０が白色を呈しており、輪郭面部５ｂは輪郭部６が青色を呈している。つまり、表示部５は白色の英文字「Ｅ」に青色の輪郭を有するという異なる色合いによって加飾されている。
【００５３】
第５変形例における表示部５の製造方法の一例を説明する。先ず無色透明のキートップ１７における溝部４の側面４ａに対しインクの粒子を噴射して印刷する印刷方法、例えばインクジェット印刷を用いて青色の輪郭部６を形成する。次にキートップ１７の裏面１７ｃにスクリーン印刷法によって白色の着色層１０を形成し、その後キートップ１７の溝部４を除く表面１７ａにスクリーン印刷法によって白色の塗層１３を形成する。以上のようにして、白色の表面１７ａ側に白色の英文字「Ｅ」に青色の輪郭を形成してある表示部５を得ることができる。
【００５４】
第５変形例のキートップ１７によれば、表示面部５ａが溝部４の底面４ｂよりさらに奥のキートップ１７の裏面１７ｃにある着色層１０でなるため、操作者は傾斜する輪郭面部５ｂの奥に離れて沈んで見える新規なデザインの沈み文字状の表示部５を視認することができる。
【００５５】
第１実施形態の第６変形例〔図９〕
第１実施形態のキートップ３では、溝部４の内部に輪郭部６を形成する例を示したが、第１実施形態の第６変形例のキートップ１８では、溝部４の内部に透明樹脂体１９を形成する構成できる。このようにすれば、輪郭部６が透明樹脂体１９によって保護されるため、実使用において輪郭部６を摩耗し難くすることができる。なお、透明樹脂体１９の形状を図９で示すように、キートップ１８の表面１８ａより突出するドーム状に形成すれば、透明樹脂体１９の凸レンズ効果によって表示部５を大きく視認させることができる。
【００５６】
第２実施形態〔図１０〜図１２〕
第２実施形態のキートップ２０が、第１実施形態のキートップ３と異なるのは、キートップ２０と着色層５の構成である。キートップ２０は、裏面２０ａに設けられる溝部４を用いて形成した表示部５を備えている。
【００５７】
キートップ２０は無色透明の硬質樹脂のポリカーボネート樹脂でなり、平面視で矩形状に形成されている。下端には外方へ突出する環状の鍔部２０ｂを設けてある。そして第２実施形態では表示部５を第１実施形態と同様に英文字「Ｅ」の表示形状としている。即ち、裏面１６ａに設けられている溝部４は平面視で英文字「Ｅ」を象る形状に形成してあり、この溝部４の側面４ａは底面４ｂからキートップ２０の裏面２０ａに向かって広がる傾斜面となっている。このキートップ２０の溝部４を除く裏面２０ａには、銀色メタリックの塗層１３が設けてある。
【００５８】
表示部５は、溝部４の底部４ｂに固着する黒色の着色層１０でなる英文字「Ｅ」の形状の表示面部５ａと、溝部４の側面４ａに固着する白色の輪郭部６の輪郭面部５ｂと、によって構成される。表示面部５ａは着色層１０が黒色を呈しており、輪郭面部５ｂは輪郭部６が白色を呈している。つまり、表示部５は黒色の英文字「Ｅ」に白色の輪郭を有するという異なる色合いによって加飾されている。
【００５９】
ここで、第２実施形態のキーシート２１について説明する。キーシート２１は、前述のキートップ２０と、第１実施形態と同様のベースシート８とを備えている。ベースシート８は、ゴム状弾性体のシリコーンゴムで形成されており、表面にはキートップ２０の裏面２０ａを図外の接着剤にて固着する台座部８ａが形成されている。裏面には台座部８ａに対応して図外の金属皿ばねなどの接点スイッチを押圧する押し子部８ｂと、押し子部８ｂの周囲を囲むように脚部８ｃが突設されている。この脚部８ｃの先端は図外の基板の表面と接する。
【００６０】
次に、第２実施形態における表示部５の製造方法の一例を説明する。先ず射出成形にて無色透明のポリカーボネート樹脂でなるキートップ２０を成形する。この時、射出成形金型のキャビティーによってキートップ２０の裏面２０ａに溝部４を形成する。次に溝部４の底面４ｂに対しインクの粒子を噴射して印刷する印刷方法、例えばインクジェット印刷を用いて黒色の着色層１０を形成する。その後溝部４の側面４ａに対しインクの粒子を噴射して印刷する印刷方法、例えばインクジェット印刷を用いて白色の輪郭部６を形成する。最後にキートップ２０の溝部４を除く裏面２０ａにスクリーン印刷法を用いて銀色メタリックの塗層１３を形成する。以上のようにして、銀色メタリックの塗層１３を背景として黒色の英文字「Ｅ」に白色の輪郭を形成してある表示部５を得ることができる。なお、表示部５を備えるキートップ２０の裏面２０ａを、別途シリコーンゴムで金型成形したベースシート８の台座部８ａの表面に接着剤で固着すれば、本実施形態のキーシート２１を製造できる。
【００６１】
最後に、第２実施形態のキートップ２０及びキーシート２１の作用効果について説明する。
【００６２】
第２実施形態のキートップ２０及びキーシート２１によれば、黒色で英文字「Ｅ」の表示面部５ａと異なる色合いの白色の輪郭面部５ｂとを明確に区別して視認することができ、この白色の輪郭面部５ｂは黒色の表示面部５ａの周囲で傾斜する輪郭のように視認することができる。つまり白色で傾斜する輪郭の手前に黒色の英文字「Ｅ」を視認することができる。このため操作者は銀色メタリックの背景の手前に浮き文字の英文字「Ｅ」を視認できる。よって浅い溝部４を用いて形成した表示部５であっても立体的に視認し易い立体加飾を実現できる。したがってこのような立体加飾を有するキートップ２０の肉厚は薄肉化でき、この薄肉のキートップ２０は薄型のキーシート２１を実現して電子機器の薄型化の要請に対応できる。
【００６３】
英文字「Ｅ」の表示面部５ａが溝部４の底面４ｂに固着する着色層１０で構成するため、表示面部５ａを背景である銀色メタリックと異なる色合いの黒色に設定でき、表示面部５ａと輪郭面部５ｂとの配色バリエーションにより加飾を多様化できる。
【００６４】
溝部４をキートップ２０の裏面２０ａに設けるため、キートップ２０の奥に立体的な表示部５を視認することができる。
【００６５】
第２実施形態の第１変形例〔図１３〕
第２実施形態のキートップ２０では、表示部５の表示面部５ａ及び輪郭面部５ｂを黒色顔料又は白色顔料にて呈する例を示したが、第２実施形態の第１変形例のキートップ２２では、表示面部５ａ及び輪郭面部５ｂのデザインを金属調にできる。
【００６６】
第２実施形態における第１変形例の表示部５は、溝部４の底面４ｂに固着する赤色透明の着色層１０でなる英文字「Ｅ」の形状の表示面部５ａと、着色層１０の裏面及び溝部４の側面４ａに固着するアルミニウム蒸着でなる銀色光沢の輪郭部６の輪郭面部５ｂと、によって構成される。表示面部５ａは着色層１０と輪郭部６の光沢とで赤色光沢を呈しており、輪郭面部５ｂは輪郭部６が銀色光沢を呈している。つまり、表示部５は赤色光沢の英文字「Ｅ」に銀色光沢の輪郭を有するという異なる色合いによって加飾されている。
【００６７】
第１変形例における表示部５の製造方法の一例を説明する。先ず無色透明のキートップ２２における溝部４の底面４ｂに対しインクの粒子を噴射して印刷する印刷方法、例えばインクジェット印刷を用いて赤色透明の着色層１０を形成する。次にキートップ２２の溝部４を除く裏面２２ａにスクリーン印刷法によって青色透明の塗層１３を形成する。その後キートップ２２の溝部４を含む裏面２２ａに対し乾式めっき法の真空蒸着法でアルミニウムを鍍着し、銀色光沢の輪郭部６を形成する。以上のようにして、青色の塗層１３と光沢の輪郭部６とによる青色光沢を背景として赤色光沢の英文字「Ｅ」に銀色光沢の輪郭を形成してある表示部５を得ることができる。
【００６８】
第２実施形態における第１変形例のキートップ２２によれば、表示面部５ａを背景である青色光沢と異なる色合いの赤色光沢に設定することができ、表示面部５ａと輪郭面部５ｂとの配色バリエーションにより加飾を多様化できる。またインクの粒子を噴射して印刷する印刷方法、例えばインクジェット印刷では金属粉などを含む塗料を印刷し難いため、着色光沢の金属調の表示面部５ａを実現し難いが、第１変形例のように赤色（着色）透明の着色層１０と銀色光沢の輪郭部６を積層すると赤色（着色）光沢の金属調の表示面部５ａを実現できる。
【００６９】
第２実施形態の第２変形例〔図１４，図１５〕
第２実施形態のキートップ２０では、溝部４の側面４ａが底面４ｂからキートップ２０の裏面２０ａに向かって広がる傾斜面として例示したが、第２実施形態の第２変形例のキートップ２３では、溝部４の側面４ａが底面４ｂに対して垂直面に構成されている。
【００７０】
第２実施形態における第２変形例の表示部５は、溝部４の底面４ｂに固着するアルミニウムでなる銀色光沢の着色層１０による英文字「Ｅ」の形状の表示面部５ａと、着色層１０の裏面及び溝部４の側面４ａに固着する白色の輪郭部６の輪郭面部５ｂと、によって構成される。表示面部５ａは着色層１０が銀色光沢を呈しており、輪郭面部５ｂは輪郭部６が白色を呈している。つまり、表示部５は銀色光沢の英文字「Ｅ」に白色の輪郭を有するという異なる色合いによって加飾されている。
【００７１】
第２変形例における表示部５の製造方法の一例を説明する。先ず無色透明のキートップ２３の溝部４を除く裏面２３ａを治具でマスキングし、溝部４の底面４ｂに対し乾式めっき法の真空蒸着法でアルミニウムを鍍着し、銀色光沢の着色層１０を形成する。次にキートップ２３の溝部４を除く裏面２３ａにスクリーン印刷法によって黒色の塗層１３を形成する。その後キートップ２３の溝部４を含む裏面２３ａに塗装によって白色の輪郭部６を形成する。以上のようにして、黒色の塗層１３を背景として銀色光沢の英文字「Ｅ」に白色の輪郭を形成してある表示部５を得ることができる。
【００７２】
第２実施形態における第２変形例のキートップ２３によれば、表示面部５ａを背景である黒色と異なる色合いの銀色光沢に設定することができ、表示面部５ａと輪郭面部５ｂとの配色バリエーションにより加飾を多様化できる。
【図面の簡単な説明】
【００７３】
【図１】第１実施形態のキートップの斜視図。
【図２】図１のＳＢ−ＳＢ線断面図。
【図３】第１実施形態のキーシートの断面説明図。
【図４】第１実施形態におけるキートップの第１変形例を示す図２相当の断面図。
【図５】第１実施形態におけるキートップの第２変形例を示す図２相当の断面図。
【図６】第１実施形態におけるキートップの第３変形例を示す図２相当の断面図。
【図７】第１実施形態におけるキートップの第４変形例を示す図２相当の断面図。
【図８】第１実施形態におけるキートップの第５変形例を示す図２相当の断面図。
【図９】第１実施形態におけるキートップの第６変形例を示す図２相当の断面図。
【図１０】第２実施形態のキートップの斜視図。
【図１１】図１０のＳＣ−ＳＣ線断面図。
【図１２】第２実施形態のキーシートの断面説明図。
【図１３】第２実施形態におけるキートップの第１変形例を示す図９相当の断面図。
【図１４】第２実施形態におけるキートップの第２変形例を示す斜視図。
【図１５】図１４のＳＤ−ＳＤ線断面図。
【図１６】従来のキートップの斜視図。
【図１７】図１６のＳＡ−ＳＡ線断面図。
【符号の説明】
【００７４】
１    キートップ（従来技術）
２    表示要素
３    キートップ（第１実施形態）
３ａ  表面
３ｂ  鍔部
３ｃ  裏面
４    溝部
４ａ  側面
４ｂ  底面
５    表示部
５ａ  表示面部
５ｂ  輪郭面部
６    輪郭部
７    キーシート（第１実施形態）
８    ベースシート
８ａ  台座部
８ｂ  押し子部
８ｃ  脚部
９    キートップ（第１実施形態の第１変形例）
９ａ  表面
９ｂ  鍔部
９ｃ  裏面
１０    着色層
１１    キートップ（第１実施形態の第２変形例）
１１ａ  表面
１１ｂ  鍔部
１１ｃ  裏面
１２    キートップ（第１実施形態の第３変形例）
１２ａ  表面
１２ｂ  鍔部
１２ｃ  裏面
１３    塗層
１４    硬質保護層
１５    キートップ（第１実施形態の第４変形例）
１５ａ  表面
１５ｂ  鍔部
１５ｃ  裏面
１６    鍍金層
１７    キートップ（第１実施形態の第５変形例）
１７ａ  表面
１７ｂ  鍔部
１７ｃ  裏面
１８    キートップ（第１実施形態の第６変形例）
１９    透明樹脂体
２０    キートップ（第２実施形態）
２０ａ  裏面
２０ｂ  鍔部
２１    キーシート（第２実施形態）
２２    キートップ（第２実施形態の第１変形例）
２２ａ  裏面
２２ｂ  鍔部
２３    キートップ（第２実施形態の第２変形例）
２３ａ  裏面    
２３ｂ  鍔部
【図１】
2007320266.tif 000003
【図２】
2007320266.tif 000004
【図３】
2007320266.tif 000005
【図４】
2007320266.tif 000006
【図５】
2007320266.tif 000007
【図６】
2007320266.tif 000008
【図７】
2007320266.tif 000009
【図８】
2007320266.tif 000010
【図９】
2007320266.tif 000011
【図１０】
2007320266.tif 000012
【図１１】
2007320266.tif 000013
【図１２】
2007320266.tif 000014
【図１３】
2007320266.tif 000015
【図１４】
2007320266.tif 000016
【図１５】
2007320266.tif 000017
【図１６】
2007320266.tif 000018
【図１７】
2007320266.tif 000019